(57)【要約】  【課題】微生物を利用したバイオトイレを備え、主にイベント会場や工事現場等の短期間の使用を目的とし、搬送、設置、回収を容易に行うことができるトイレユニットを提供する。  【解決手段】バイオトイレを内部に備えるキャビネットで、主に上部本体と下部本体との二つの部分から構成され、上部本体を昇降させキャビネットの高さ変えることにより、搬送時にはキャビネットを小型化して、搬送および設置が容易に行えるトイレユニットを提供することで上記の課題を解決する。【選択図】図１
2006094970.tif 000002
【特許請求の範囲】
【請求項１】
簡易トイレを収容するキャビネットを備えたトイレユニットであって、
前記キャビネットは上部本体と下部本体とからなる高さ調整可能な構成を有し、
かつ、前記キャビネット全体が移送用パレット上に固定されていることを特徴とするトイレユニット。
【請求項２】
前記簡易トイレが微生物の作用を利用するバイオトイレである請求項１に記載のトイレユニット。
【請求項３】
前記キャビネットは、前記上部本体と下部本体との高さ調整のための、昇降手段を備える請求項１または２に記載のトイレユニット。
【請求項４】
前記キャビネットに、前記バイオトイレの各種機能を制御するための制御装置を設けた請求項２または３に記載のトイレユニット。
【請求項５】
前記制御装置は、少なくとも前記バイオトイレが利用する微生物に対する処理負荷の管理手段を備える請求項４に記載のトイレユニット。
【請求項６】
前記微生物に対する処理負荷の管理手段は、当該バイオトイレの利用者数に基づいて使用制限を行う機能を備える請求項５に記載のトイレユニット。
【請求項７】
少なくとも、前記微生物に対する処理負荷の管理手段による当該バイオトイレの使用制限を含む使用可否に係る情報を使用者に通知するための通知手段を有する請求項６に記載のトイレユニット。
【請求項８】
前記通知手段を用いる使用者への諸通知の内容を設定するためのプログラムされた制御機能を有する請求項７に記載のトイレユニット。
【請求項９】
少なくとも前記キャビネットからの排気を行うための、太陽光発電ユニットと蓄電池とを有するソーラーバッテリー駆動方式による換気手段を備える請求項１〜８のいずれかに記載のトイレユニット。
【請求項１０】
前記キャビネットの下部本体に、クレーンによる釣り上げに対応するためのアイボルトを有する請求項１〜９のいずれかに記載のトイレユニット。
【請求項１１】
請求項１〜１０のいずれかに記載のトイレユニットであって、運搬用を兼ねた車両に搭載されているトイレユニット。
【発明の詳細な説明】
【技術分野】
【０００１】
本発明は、簡易式トイレとそれを収容するキャビネットから構成されるトイレユニットに関し、詳しくは、汚物または汚物処理に用いられる微生物担持基材の自動的排出が可能なバイオトイレを含むトイレユニットに関する。
【背景技術】
【０００２】
従来から、工事現場やイベント会場、行楽地等では仮設トイレが使用されてきた。従来この種の仮設トイレは、キャビネット内にトイレが備えられているものが一般的である。キャビネットは一人の使用者が入室するのに必要なスペースを内部に有する必要があり、さらに、トイレを設置するスペースを有する必要もある。そのため、外形の大きさや、重量の重さから、搬送にかかる手間が大きく、特に短期間のイベントや工事現場等での使用においては、搬送や設置にかかる煩わしさがあった。
【０００３】
また、一般に、そのような仮設トイレを設置現場へ搬入するような場合、仮設トイレを、例えば２トントラック等の比較的大型の搬送車両に搭載して現場まで運び設置するのが普通である。このとき、大型のトラックでは設置場所まで進入することができないこともあった。
【発明の開示】
【発明が解決しようとする課題】
【０００４】
上記の課題を解決するために、本発明のトイレユニットは、比較的小型の搬送車両にも搭載し搬送できるトイレユニットで、上記の車両へ積込む作業や車両から降ろす作業も容易に行うことができるトイレユニットを提供することを目的とする。
【課題を解決するための手段】
【０００５】
上記課題を解決するために、本発明に係るトイレユニットは、簡易トイレを収容するキャビネットを備えたトイレユニットであって、前記キャビネットは上部本体と下部本体とからなる高さ調整可能な構成を有し、かつ、前記キャビネット全体が移送用パレット上に固定されていることを特徴とするトイレユニットを提供する。
また、本発明の一態様として前記簡易トイレが微生物の作用を利用するバイオトイレであるトイレユニットを提供する。
【０００６】
前記キャビネットは、前記上部本体と下部本体との高さ調整のための、昇降手段を備えるトイレユニットを提供する。
【０００７】
前記キャビネットに、前記バイオトイレの各種機能を制御するための制御装置を設けたトイレユニットを提供する。
【０００８】
前記制御装置は、少なくとも前記バイオトイレが利用する微生物に対する処理負荷の管理手段を備えるトイレユニットを提供する。
【０００９】
前記微生物に対する処理負荷の管理手段は、当該バイオトイレの利用者数に基づいて使用制限を行う機能を備えるトイレユニットを提供する。
【００１０】
少なくとも、前記微生物に対する処理負荷の管理手段による当該バイオトイレの使用制限を含む使用可否に係る情報を使用者に通知するための通知手段を有するトイレユニット提供する。
【００１１】
前記通知手段を用いる使用者への諸通知の内容を設定するためのプログラムされた制御機能を有するトイレユニットを提供する。
【００１２】
少なくとも前記キャビネットからの排気を行うための、太陽光発電ユニットと蓄電池とを有するソーラーバッテリー駆動方式による換気手段を備えるトイレユニットを提供する。
【００１３】
前記キャビネットの下部本体に、クレーによる釣り上げに対応するためのアイボルトを有するトイレユニットを提供する。
【００１４】
前記トイレユニットであって、運搬用を兼ねた車両に搭載されているトイレユニットを提供する。
【発明の効果】
【００１５】
本発明によれば、比較的小型の搬送車両にも搭載し搬送できるトイレユニットで、上記車両への積込み作業や車両から降ろす作業を容易に行うことができるトイレユニットを提供できるという効果が得られる。
【００１６】
また本発明に係るトイレユニットは、バイオトイレと組み合わせたことにより、設置時における給排水用配管を行う必要がなく、設置が簡単なトイレユニットを提供できるという効果が得られる。
さらに、このバイオトイレの管理者をトイレの使用可否制御と組み合わせたことにより、人手を全く必要としない運転を可能とし、運用が極めて簡単なトイレユニットを提供できるという効果が得られる。
【００１７】
またさらに、本発明に係るトイレユニットは、給排水用配管を行う必要がないので、車両により、必要とされる場所に運搬して設置するのみならず、短期間であれば、車載状態のまま使用に供することも可能であり、より人手のかからないトイレユニットを提供できるという効果が得られる。
【発明を実施するための最良の形態】
【００１８】
本発明に係るトイレユニットを添付の図面に示す好適実施例に基づいて以下に詳細に説明する。
【００１９】
図１（ａ）、（ｂ）には、搬送時（格納時）のトイレユニット８の外観が示されている。ここで、格納時とは、後述する上部本体１１０が、後述する下部本体１１４に覆い被さるようにして下降し、図１に示すように最下点まで上部本体が下がった状態である。また、図２には、設置時（使用時）のトイレユニット８の外観が示されている。また、図３は、上部本体１１０の上面近傍で切断したトイレユニット８を、上方から見た模式図である。
【００２０】
図１（ａ）、（ｂ）、図２または、図３に示されるように、トイレユニット８は、主に、後述するバイオトイレ１０と、キャビネット１００と、昇降手段１０２と、表示手段１０４と、制御箱１０６と、パレット１０８とから構成される。
【００２１】
図１（ａ）、（ｂ）、または図２に示されるように、キャビネット１００は、主に、上部本体１１０と、上部扉１１２と、下部本体１１４と、下部扉１１６とから構成される。また、キャビネット１００は、後述する昇降手段１０２の作用によって上部本体１１０を上下動させることで、その高さ（容積）を変えることができる直方体状の箱である。
【００２２】
ここで、上部本体１１０の側面で上部扉１１２を備えるキャビネットの側面を上部正面パネル１１０ａとする。また、上部正面パネル１１０ａに向かって、右方のキャビネット側面を上部右側面パネル１１０ｂとし、左方のキャビネット側面を上部左側面パネル１１０ｃとする。さらに、上部正面パネル１１０ａに対向するキャビネット側面を上部背面パネル１１０ｄとする。
同様に、下部本体１１４の側面で下部扉１１６を備えるキャビネットの側面を下部正面パネル１１４ａとする。また、下部正面パネル１１４ａに向かって、右方のキャビネット側面を下部右側面パネル１１４ｂとし、左方のキャビネット側面を下部左側面パネル１１４ｃとする。さらに、下部正面パネル１１４ａに対向するキャビネット側面を下部背面パネル１１４ｄとする。
【００２３】
図１（ａ）、（ｂ）に示されるように、下部本体１１４の底板１１５は、下部正面パネル１１４ａ、下部右側面パネル１１４ｂ、下部左側面パネル１１４ｃ、および下部背面パネル１１４ｄで囲まれる面積よりも大きい面積を有し、底板１１５の面積はパレット１０８の面積と一致するように作られている。下部本体１１４の底面１１５はパレット１０８の上面に固定され設置され、上部本体１１０は下部本体１１４の外側に、下部本体１１４を覆って設置される。
ここで、キャビネット１００を構成する材料は対候性樹脂パネル等の、十分に剛性があるものが好ましい。
【００２４】
本発明のトイレユニット８は、図１（ａ）、（ｂ）および図２に示されるように、最下部にパレット１０８が備えられており、そのパレット１０８は、図中の左右方向にフォークポケット１５０を有している。また、底板１１５には、複数個のアイボルト１５２が上向きに設けられている。したがって、トイレユニット８は、搬送される際に、フォークリフトやクレーンによって、例えば搬送用車両等への容易な積込みを可能にする。
【００２５】
図２に示されるように、上部正面パネル１１０ａの左方には上部扉１１２が、下部正面パネル１１４ａの左方には下部扉１１６が、それぞれ、内開きに設けられている。
また、下部扉１１６の左上方部分には、扉（上部扉１１２および下部扉１１６）を開閉するための扉開閉用取手１１７が設けられている。また、取手１１７の使用を妨げないように上部扉１１２の右下端部には方状の切り欠きが設けられている。これにより、取手１１７の位置が低すぎることがなく使用時の利便性を確保できる。上記の取手１１７は、搬送時（格納時）に、上部扉１１２と下部扉１１６とによって設けられた間隙に収まるように、下部扉１１６表面から突出しないような構造を有する取手である。
【００２６】
設置時（使用時）において、トイレユニット８は、上記の上部扉１１２と下部扉１１６とが連動して開くように、それぞれの扉（上部扉１１２および下部扉１１６）が設置されている。具体的には、図２に示されるように、下部扉１１６左端に設けられ、下部扉１１６と下部本体１１４とを接続する接続部は、上部扉１１２の左端と上部本体１１０とを接続する接続部よりも扉（上部扉１１２および下部扉１１６）の厚さ程度左方に設けられる。これにより、下部扉１１６が上部扉１１２の開閉動作を妨げることがない。また、上部扉１１２と下部扉１１６とを系止する系止部材（図示しない）が設けられており、取手１１７で下部扉１１６を開くと同時に上部扉１１２も同様に開くことができる。
【００２７】
下部扉１１６は、通常の使用時に扉を施錠するための扉施錠機構を有するが、それとは別に、扉を強制的に施錠する強制施錠機構１２１を有する。上記の強制施錠機構１２１は、後述するバイオトイレ１０の処理能力維持のためにトイレの使用を中止する際に強制的に扉を施錠することができる。上記の強制施錠機構１２１として、ドアロックソレノイド、やモータ等の電動機構を利用した施錠機構を用いることができる。また、上記の施錠機構は、後述するトイレユニット制御装置１３２によって制御させれ、後述する所定のタイミングで扉を強制的に施錠することができる。
【００２８】
上部正面パネル１１０ａの上部扉１１２の上方には、使用回数カウンタ１１８が設けられている。上記の使用回数カウンタ１１８は、トイレユニット８が使用された回数、または、使用できる残りの回数を表示することができる。本発明に係るバイオトイレ１０は、後述するように、微生物を利用して排泄物を処理するので、微生物の処理能力を維持するために、使用回数が一定回数に達すると使用を中止してその処理能力を維持するための維持動作を実行する必要がある。したがって、管理者または使用者が、容易に目視できる場所に、トイレユニット８が使用された回数、または、使用できる残りの回数を表示可能であることは好ましい。
【００２９】
ここで、上述のトイレユニット８の使用中止状態時に、使用回数カウンタ１１８は、上記中止状態の継続時間が残り何時間であるかを表示することができ、さらに、上記の残り時間が１時間未満の場合は、分単位で表示することができる。
【００３０】
ここで、使用回数をカウントするために、本実施形態では、ドア開閉センサ１２０が上部扉１１２または下部扉１１６の近傍に設けられている。ドア開閉センサ１２０は、閉められた状態の扉（上部扉１１２および下部扉１１６）が、使用者によって開かれ、使用者がキャビネット１００内に入室した後に扉が再び閉められ、使用後に使用者によって扉が開かれ、使用者が退出した後に扉が閉められる、上記の一連の動作を一回の使用回数とカウントすることができる。本実施形態では、使用回数をカウントするのに上述のような方法および装置を用いたがこれに限定されずに、例えば、赤外線を用いる通過センサ等を扉付近に設けるようにしてもよい。
【００３１】
また、上部本体１１０上面にはソーラー換気扇１２２が設けられ、キャビネット１００内部を換気することができる。このソーラー換気扇１２２は、図示しない太陽光発電ユニットとソーラーバッテリーとに接続され、充電機能を有している。したがって、使用者または管理者が手動によりソーラー換気扇１２２を操作する必要はないが、後述するトイレユニット制御装置１３２を介して動作制御してもよい。
【００３２】
次に、図３を用いて昇降手段１０２について説明する。
図３に示される昇降手段１０２は、電動シリンダ１２４ａ、１２４ｂ、１２４ｃから構成され、下部本体１１４に沿って、上部本体１１０を上下動させることができる。
電動シリンダ１２４ａは、下部正面パネル１１４ａの内部壁面で下部扉１１６に隣接する位置、かつ、扉（上部扉１１２および下部扉１１６）の左方で上記の扉と干渉しない位置に、シリンダが垂直方向に動作するように設けられている。また、電動シリンダ１２４ｂ、１２４ｃは、電動シリンダ１２４ａ、１２４ｂ、１２４ｃの三本の電動シリンダで上部本体１１０を下部本体１１４に沿って水平に上下動させるために、電動シリンダ１２４ｂと電動シリンダ１２４ｃとの間に適当な距離をとって下部背面パネル１１４ｄの内部壁面に設置されている。また、電動シリンダ１２４ａ、１２４ｂ、１２４ｃのそれぞれの上端部は上部本体１１０に取付けられている。
後述するトイレユニット制御装置１３２を介して、上述したように配置された電動シリンダ１２４ａ、１２４ｂ、１２４ｃが同期され作動されることによって、上部本体１１０が上下動される。
本実施形態では、昇降手段として電動シリンダを用いたが、これに限定されずに同様の機能を有する手段を用いることができる。
【００３３】
次に、図１（ａ）、（ｂ）および図２を用いて表示手段１０４について説明する。
表示手段１０４は、ＬＥＤ標識１２６と、回転灯１２８と、電動シリンダ１３０とを有し、ＬＥＤ標識１２６の表示面１２６ａに、その場の状況に応じ選択された文章やマークなどを表示することができる。電動シリンダ１３０は、上部背面パネル１１０ｄの中央部下方に設けられており、その上端部にはＬＥＤ標識１２６が設置されている。また、ＬＥＤ標識１２６の上面の両端部には、回転灯１２８が一つずつ設けられている。
図１（ａ）、（ｂ）に示されるように、トイレユニット８の搬送時には、ＬＥＤ標識１２６を格納するように、詳しくは、ＬＥＤ標識１２６の上面が上部本体１１０の上面よりも下に位置するように、または、同じ高さであるように、電動シリンダ１３０が短くなるように動作する。また、図２（ａ）、（ｂ）に示されるように、トイレユニット８の設置時（使用時）には、ＬＥＤ標識１２６の視認性を高めるように、ＬＥＤ標識１２６の高さが最も高くなる位置まで電動シリンダ１３０が伸びるように動作する。
【００３４】
ここで、本実施形態においてＬＥＤ標識１２６に表示させる文章について説明する。
ＬＥＤ標識１２６は、その視認性を高めるために、一度に最大でも５文字程度の文章、例えば、イベント会場等で使用する際には、トイレ、使用可、使用不可などの文章を点灯または点滅させて表示させることが好ましい。また、例えば、工事現場等で使用する際には、工事中、作業中、車線減少などの文章を表示させてもよい。
【００３５】
また、本実施形態においては、ＬＥＤ標識に表示させる必要があると考えられる複数個の文章を、後述するトイレユニット制御装置１３２に備えられる表示手段制御部１４２にあらかじめ記憶させておくことができ、トイレユニット８を設置する場所の環境や状況（工事現場やイベント会場といった、周囲の環境や状況）に応じて、上記の記憶させた文章の中から表示させたい文章を、後述する表示制御部１４２で選択し、ＬＥＤ標識１２４に表示させることができる。
さらに、周囲の環境や状況に応じて、上記の記憶された文章の中から複数の文章を選んでその組み合わせによって文章を構成できるのは、より適切な情報を提示することができるために好ましい。この場合、選択した複数の文章（例えば、トイレ、使用可などが考えられえる）は、表示させる順番を決められ、その決められた順番通りにＬＥＤ標識１２４に表示される。
【００３６】
ここで、トイレユニット８の使用時、または、特に搬送時において、表示手段１０４が搬送車両の側壁等に衝突して破損するのを防止する保護部材を設けておくのはこのましい。上記の保護部材は、例えば、表示手段１０４の下方で、パレット１０８の側面に垂直に設けられており、表示手段１０４を保護する保護部材である。
【００３７】
図１（ｂ）および図３に示されるように、上部背面パネル１１０ｄの、上記パネルに向かって左方部には、制御箱１０６が設けられている。さらに、その制御箱１０６の向かって左側面には外部電源入力部１０７が設けられ、外部電源入力部１０７にはＡＣ１００Ｖプラグ１５４が接続されている。制御箱１０６は、その内部に、後述するトイレユニット制御装置１３２と、後述する分電盤１０９とを備えている。
以下、図４と図５を用いてトイレユニットの電力系と制御系に関して説明する。なお、図４は、トイレユニット８の電力系を示すブロック図である。また、図５はトイレユニット８の制御系を示すブロック図である。
【００３８】
トイレユニット８は、プラグ１５４および外部電源入力部１０７を介して、外部にある電力供給源１７０（図４に示す）から電力が供給される。電力は分電盤１０９によってトイレユニット８を構成する各装置に、供給される。図４はトイレユニット８の電力系を示す図であり、主な電力供給先が示されている。図４には、主な供給先としてバイオトイレ１０と、昇降手段１０２と、表示手段１０４と、後述する使用回数カウンタ１１８と、後述するドア開閉センサ１２０と、強制施錠機構１２１と、後述するトイレユニット制御装置１３２と、後述するトイレ室灯１５８とが示されている。
ここで、分電盤１０９は、トイレユニット８のメインブレーカや、トイレユニット８の各種装置およびキャビネット内部の天井に設置されたトイレ室灯１５８（図３参照）などの電源スイッチを有する。
【００３９】
次に、図５を用いて、上記の昇降手段１０２、表示手段１０４、および、バイオトイレ１０が排泄物を処理する処理能力を維持するための動作などを主に制御するトイレユニット制御装置１３２について説明する。
図５は、トイレユニット８の動作を制御するトイレユニット制御装置１３２を説明するブロック図である。トイレユニット制御装置１３２は、昇降手段制御部１３４と、昇降制御用リモートコントローラ１３６と、ＬＥＤ標識昇降制御部１３８と、ＬＥＤ標識昇降用リモートコントローラ１４０と、表示制御部１４２と、トイレ制御部１４４と、モニタ１４６と、入力装置１４８とを有する。
【００４０】
昇降手段制御部１３４は、上部本体１１０を上下動させる昇降手段１０２を構成する電動シリンダ１２４ａ、１２４ｂ、１２４ｃの動作を制御することで、上部本体１１０を上下動させることができる。昇降手段制御部１３４には昇降制御用リモートコントローラ１３６が接続されており、使用者（管理者）は、昇降制御用リモートコントローラ１３６を操作することで、上述したように上部本体１１０を上下動させる。
同様に、ＬＥＤ標識昇降制御部１３８は、ＬＥＤ標識１２６に接続された電動シリンダ１３０の動作を制御することで、ＬＥＤ標識１２６を上下動させることができる。ＬＥＤ標識昇降制御部１３８にはＬＥＤ標識昇降用リモートコントローラ１４０が接続されており、使用者（管理者）は、ＬＥＤ標識昇降用コントローラ１４０を操作することでＬＥＤ標識１２６を上下動させることができる。
【００４１】
表示制御部１４２およびトイレ制御部１４４には、モニタ１４６および入力装置１４８が接続されている。これにより、より簡単にかつより確実に、表示制御部１４２およびトイレ制御部１４４の操作を行うことができる。
表示制御部１４２は、ＬＥＤ標識１２６と接続されており、ＬＥＤ標識１２６に文章を表示させることができる。上述したように、ＬＥＤ標識１２６表示させる文章は、あらかじめ、表示制御部１４２のメモリに記憶させることができ、使用者（管理者）はその中から状況に応じて適宜、一つまたは複数の文章を選択し、ＬＥＤ標識１２６に点灯または点滅させて表示させることができる。
複数の文章を選択した場合は、それらを表示させる順番を決め、その順番通りに順に表示させることができる。また、表示の方法として点滅または点灯のどちらかを選択できる。さらに、一つの文章の表示時間を適宜選択できるようにしてもよい、例えば１から５秒間で１、２、３、４または５秒間の５種類の中から１つを選ぶこともできるようにしてもよい。さらに、これらの、点灯または点滅の表示方法と表示時間とを組み合わせることができるのは好ましい。
なお、図５には示していないが、回転灯１２８は、表示制御部１４２に接続されており、その動作が表示手段１４２で制御されている。ただし、回転灯１２８の動作が、作動または停止のみであるならば、上述した分電盤１０９内に回転灯１２８の電源スイッチを設けて操作してもよい。
【００４２】
また、トイレ制御部１４４は、使用回数カウンタ１１８や、ドア開閉センサ１２０や、強制施錠機構１２１に接続され、使用回数がある一定回数を超えると、扉（上部扉１１２および下部扉１１６）を強制的に施錠し、後述するバイオトイレ１０の掻出用モータ７４、電熱ヒータ８８、温風乾燥装置３８などのトイレ制御部１４４に接続された装置をバイオトイレの処理能力を維持するために動作させることができる。
また、後述する、バイオトイレ１０が備える重量センサ８９もトイレ制御部１４４に接続され制御されている。
【００４３】
ここで、図３に示されるように、キャビネット１００内の天井部には、トイレ室灯１５８が設けられている。また、内部に人がいるにもかかわらずに上記の強制施錠機構１２１が誤作動した際に、強制施錠機構１２１を解除するためのドアロック解除スイッチ１６０がキャビネット１００内部に設けられている。
【００４４】
次に、本発明のトイレユニットに備えられた簡易式トイレを添付の図面に示す好適実施例に基づいて以下に詳細に説明する。
なお、以下の実施例においては、微生物を利用した簡易式トイレであって、主に工事現場や、イベント会場等で仮設簡易トイレとして用いられる簡易式トイレを例に説明するが、本発明はこれに限定されるものではなく、微生物を用いない簡易式トイレや、椅子型ではない従来型等の洋式または和式の簡易式トイレ、公衆用の仮設トイレとして使用される簡易式トイレ等にも好適に利用される。
【００４５】
図６は、本発明の簡易式トイレの一実施例であるバイオトイレ１０を示す斜視図である。以下に示すバイオトイレ１０は、台座１８に固定されて、上記のキャビネット１００内部に収容される（図３参照）。
図６に示すバイオトイレ１０は、汚物処理槽である便槽６０を内蔵し、この便槽６０において汚物の微生物分解処理を行うことができ、便座１２が据えられる本体１６と、本体１６の内部中央に便槽６０を備えた汚物処理室２０を有する。また、本体１６の中央部で便座１２の後方には、給水タンク３６が設けられており、便座１２には、開閉自在な便座蓋１４が取り付けられている。
【００４６】
便座１２は、本体１６の略中央部に設けられ、その開口部は汚物処理室２０の内部に通じている。この便座１２は、加温機能を有しているのが好ましい。
便座蓋１４は、図示しないセンサによってバイオトイレ１０に人が近付いたことを検知した時に自動的に開き、人が離れたことを検知した時に自動的に閉じるものとしてもよく、このように、バイオトイレ１０の使用時以外には便座蓋１４を閉じて汚物処理室２０を密閉することにより、後述する便槽６０の内容物の乾燥を促進することができる。
【００４７】
図７は、長穴部１６ａの長手方向に切断した簡易式トイレの模式的断面図である。なお、便槽６０については、その構造を明確に示すために、着座時横方向の略中央、すなわち便槽６０の中央で取った模式的断面図を示している。
汚物処理室２０は、図７に示すように、本体１６の下面、底板３０および周壁３２で囲まれた部分であり、この汚物処理室２０には、便座１２の開口部の下方に搬送装置４６、さらにその下方に便槽６０が備えられている。また、汚物処理室２０内であって、便座１２の近傍には、温水洗浄装置３４と、温風乾燥装置３８と、温風吹出口４２と、脱臭装置４４とが備えられている。
【００４８】
温水洗浄装置３４は、便座１２の着座方向後ろ部分の近傍に設けられ、温水を噴出して、着座している人の用便後の局部を洗浄するためのもので、汚物処理室２０の外部に設けられた給水タンク３６に接続されている。図示例では、給水タンク３６は本体１６の中央部に設けられており、背もたれとしても機能する。給水タンク３６には、水道水や浄水、マイナスイオン水等、身体に害のないもので、かつ、後述する便槽６０における微生物分解処理を妨げない液体が充填され、その液体（通常は、水）を温水洗浄装置３４に供給する。温水洗浄装置３４は、給水タンク３６から供給された水の温度を設定された温度に加温し、使用時には図示しないノズルを伸ばしてその温水をノズルから所定方向に噴出する。なお、温水洗浄装置３４から噴出する水量は、後述する微生物担持基材の水分吸収力を長持ちさせるために、十分な洗浄力を得られる範囲で最少の水量に調整される。
【００４９】
温風乾燥装置３８は、温水洗浄装置３４による温水洗浄の後に、便座１２に着座している人の局部に向けて温風を吹き出して乾燥させるもので、温水洗浄装置３４の近傍に設けられている。
温水洗浄装置３４および温風乾燥装置３８の作動は、使用者が本体１６に設けられた操作部４０（図６参照）を操作することによって行われる。なお、操作部４０の取り付け位置は特に制限はなく、着座方向の左右どちらに設けられていてもよいし、本体１６上に取り付けられていても、本体１６に埋め込み式に取り付けられていてもよい。
【００５０】
脱臭装置４４は、排泄時の臭気を吸引するもので、温水洗浄装置３４および温風乾燥装置３８の近傍に設けられている。脱臭装置４４は、使用者が便座１２に着座したことを検知するセンサまたは臭気センサを備えており、その検知結果に応じて作動を開始し、所定時間後に停止する。
なお、本発明のバイオトイレ１０においては、脱臭装置４４は従来用いられている、排泄時の臭気を脱臭するための脱臭装置よりも長時間稼動し、排泄時の脱臭機能に加えて除湿機能を備えることで、汚物処理室２０の全体の脱臭機能および後述する便槽６０の内容物の乾燥を促進する機能をも有している。
脱臭装置４４は配管９６ａを介して便槽６０内部の臭気を吸引し、脱臭装置４４によって除臭および除湿された空気が９６ｂを介して便槽内部に戻される。ここで、配管および排出口を設けて、上記の除臭および除湿された空気が外部に排出されるようにしてもよい。
【００５１】
搬送装置４６は、主動軸４８ａおよび従動軸４８ｂと、ベルト５０と、駆動歯車５２と、レバー５４と、スクレーパ５６と、ベルト洗浄ノズル５８から構成されている。図３は、便座１２および本体１６を透視して搬送装置４６を示す上面図である。
図２および図３に示すように、主動軸４８ａおよび従動軸４８ｂは、着座時の左右方向（図３の左右方向）を長手方向として、主動軸４８ａが後側、従動軸４８ｂが前側に略平行に配置されている。また、主動軸４８ａは従動軸４８ｂよりも低い位置に配置されている。そして、主動軸４８ａの一方の端部には歯車が形成されている。
【００５２】
ベルト５０は、主動軸４８ａおよび従動軸４８ｂに張架されている。ベルト５０は、便座１２の開口部に相当する面積またはそれよりも広い面積の面を有し、主動軸４８ａ側、すなわち着座時の後ろ側が下がるように傾斜して、便座１２の下方に設けられている。このベルト５０は、主動軸４８ａおよび従動軸４８ｂの回転に伴って回転する。ベルト５０の材料としては、ベルト５０上の汚物が固着し難く、洗浄が簡単で、かつ高湿環境でも腐食劣化しないことが好ましく、例えば、ステンレススチール、抗菌性プラスチック等の、表面の摩擦係数が小さく耐食性が高い材料が好適に用いられる。また、好ましくは、ベルト５０は、搬送装置４６に簡単に着脱可能とされている。
【００５３】
駆動歯車５２は、主動軸４８ａの端部の歯車と噛み合う歯車で、主動軸４８ａと噛合されている。レバー５４は、駆動歯車５２の回転軸に取り付けられ、本体１６の長穴部１６ａから本体１６の上部へ突き抜けており、本体１６（便座１２）に着座している人にも操作できるように設置されている。レバー５４は、駆動歯車５２の回転軸につめ車で接続されており、レバー５４を着座方向前後（図７中、左右）に回動させることにより、駆動歯車５２を一方向（図７では反時計方向）にのみ回転させる。ここで、駆動歯車５２の径は主動軸４８ａに比して大きいものとするのが好ましい。そのようにすることで、駆動歯車５２の回転角が小さくても主動軸４８ａの回転角を大きくすることができ、すなわちベルト５０の回転が容易となる。従動軸４８ｂは、ベルト５０の回転に伴って回転する。
なお、図示例では、レバー５４の手動操作によりベルト５０を回転する形態としているが、本発明はこれには限定されず、主動軸４８ａまたは従動軸４８ｂにモータを取り付け、このモータのスイッチが操作された時に、あるいは、図示しないセンサによってバイオトイレ１０から人が離れたことを検知した時等、設定されたタイミングで、自動で回転させるようにしてもよい。
【００５４】
スクレーパ５６は、ベルト５０の表面に残った汚物を掻き落とすもので、ベルト５０の戻り側の経路（図７中下側）にベルト５０と略同一幅でベルト５０に接して設けられている。搬送装置４６は、図示例では２つ設けられているが、１つ以上いくつ設けられていてもよい。
【００５５】
また、スクレーパ５６の下流であって、好ましくはベルト５０の搬送側の経路（図７中上側）の上流側には、ベルト洗浄ノズル５８が設けられており、汚物を便槽６０に搬送し終えたベルト５０に、このベルト洗浄ノズル５８からベルト洗浄・消臭液が噴出されてベルト５０が洗浄される。このベルト洗浄・消臭液としては、ベルト５０の消臭効果を有するものであって、便槽６０における微生物分解処理を妨げることのない液体が使用される。ベルト洗浄・消臭液は、専用の供給タンク２２内部に貯蔵されていている。
【００５６】
ここで、図８は搬送装置４６および供給タンク２２を示す上面図である。
図８で、供給タンク２２は、本体１６内部で汚物処理室２０に隣接して設けられている。供給タンク２２の内部には洗浄・消臭液を噴出するためのポンプ２４が設けられており、洗浄・消臭液は供給タンク２２と物処理室２０とをつなぐ配管２６をとおりベルト洗浄ノズル５８から噴出される。また、供給タンク２２に洗浄・消臭液を注入するための注入口２８が供給タンクの上方で本体１６に設けられており、注入口２８と供給タンク２２とは管２９により接続されている（図６参照）。
なお、ベルト洗浄・消臭液を上述の温水洗浄装置３４で用いる洗浄水と共通のものとして、例えば消臭効果を有するマイナスイオン水等を用いて、給水タンク３６からベルト洗浄ノズル５８へ洗浄水を供給してもよい。
【００５７】
図９は、便槽６０の上面図である。便槽（汚物処理槽）６０は、上面が開放された略円筒形の容器であり、図７および図９に示すように、略円形の底６４と、底６４の周囲に設けられた周壁６２から構成されている。また、底６４の周壁６２に沿った領域の一部には、便槽６０の内容物を排出するための排出口６６が設けられている。排出口６６には排出口６６を開閉するための扉６８が設けられており、扉６８にはハンドル６９が取り付けられている。図示例においては、排出口６６は、底６４の外周側の一部を円弧で切り取るように形成されている。扉６８は、排出口６６を十分に覆うように、排出口６６よりも一回り大きい形状とされており、ハンドル６９を回動させることによって排出口６６が開閉される。なお、図示例では、排出口６６は、着座方向の後ろ側に設けられているが、本発明はこれには限定されず、排出口６６は前側に設けてもよい。
【００５８】
本発明のバイオトイレ１０において、便槽６０の内部には、便槽６０の内容物の掻出手段および攪拌手段として機能する掻出装置７０が備えられている。掻出装置７０は、回転軸７２、掻出用モータ７４、第１腕部材７６、第１の羽根（内周側の羽根）７８、第２腕部材８０および第２の羽根（外周側の羽根）８２から構成される。
回転軸７２は底６４の中心部に立設されており、便槽６０の外側に設けられた掻出用モータ７４に駆動されて回転する。図示例では、回転軸７２は、反時計回りに回転する。この回転軸７２には、第１腕部材７６を介して第１の羽根７８が、また、第２腕部材８０を介して第２の羽根８２が取り付けられている。図示例においては、第１腕部材７６および第２腕部材８０は、回転軸７２を中心に１８０度隔てて設けられている。
【００５９】
ここで、第１の羽根７８は、その底辺、すなわち底６４に近接する辺が、回転軸７２の近傍から底６４の半径方向の略半分の位置に至るように設けられている。図示例では、第１の羽根７８の面はその回転方向に向けられている。第１の羽根７８は、回転軸７２の回転に伴って回転して、底６４の中央側の領域にある内容物を回転方向へ運びつつ、回転方向の外側へ履き除ける。なお、第１の羽根７８の面は、内容物を外側へ履き除ける効果を大きくするために、若干、その回転方向の外側に向けられていてもよい。
【００６０】
また、第２の羽根８２は、その底辺が底６４に近接し、かつ、周壁６２に近接する位置から第１の羽根７８の外側の端部とわずかに重複する位置に至るように設けられている。図示例では、第２の羽根８２の面は、若干、その回転方向の内側に向けられている。第２の羽根８２は、回転軸７２の回転に伴って回転して、底６４の外周側の領域にある内容物を回転方向に運ぶ。なお、第２の羽根８２の面はその回転方向に向けられていてもよいが、図示例のように、わずかに回転方向の内側に向けることにより、内容物を回転方向の内側へ寄せるように移動させることができ、内容物が周壁６２に過剰に押し付けられて周壁６２にこびり付いたり、周壁６２と第２の羽根８２との間で剪断されるのを防ぐことができる。なお、第２の羽根８２は、その外周側の端辺が所定長さで周壁６２に近接するようにし、周壁６２に付着した内容物を掻き落とすようにするのも好ましい。
【００６１】
なお、第１の羽根７８および第２の羽根８２の取り付け角度は、攪拌時に回転軸７２に掛かる負荷のバランスを取るためには、本実施例のように１８０度とするのが好ましいが、これに限定されるものではなく、任意の角度に設定することができる。また、回転軸７２には、上記の２枚に加えて、第１の羽根７８または第２の羽根８２と同様の羽根、あるいはその中間部を回転する羽根等が、さらに取り付けられていてもよい。
【００６２】
また、掻出装置７０は、バイオトイレ１０の処理能力を維持するために便槽６０の内容物を攪拌する際にも用いられる。攪拌時においては、排出口６６が閉じられているので、第１の羽根７８によって外周側へ寄せられた内容物は、第２の羽根８２によって内周側へ戻されて、便槽６０内全体が攪拌される。攪拌するタイミングは、例えば、総使用回数がバイオトイレ１０の処理能力によって決まる使用可能回数に達した時や、攪拌動作終了後所定の時間が経過した時等であり、掻出装置７０はトイレ制御部１４４によって制御され自動で攪拌動作を行う。
なお、攪拌のタイミングは上記のタイミングに限定されず、攪拌動作は必要に応じて行われてもよい。さらに、上記の例では掻出装置７０がトイレ制御部１４４に制御され、自動で攪拌動作を行っていたが、これに限定されずに、手動で攪拌動作を行ってもよい。
【００６３】
便槽６０の排出口６６の下方には、便槽６０から排出された内容物をバイオトイレ１０の外部へ誘導する排出部材８４が備えられている。排出部材８４は、底面が下方へ傾斜し、その底面の傾斜方向の両側端部に側壁が設けられた排出部材本体８４ａと、排出部材本体８４ａの排出方向先端部に取り付けられた先端部材８４ｂとからなる。先端部材８４ｂは、便槽６０の内容物の排出が行われないときは、略鉛直方向に上げられた状態で係止され、排出部材８４の排出溝を塞ぐ蓋として機能する。一方、内容物の排出が行われるときは、先端部材８４ｂが、排出部材本体８４ａの底面の傾斜方向と略同一方向に倒されて、排出部材本体８４ａの底面を延長し、便槽６０の内容物をバイオトイレ１０の外部へ誘導する。この時、先端部材８４ｂの先端付近には、排出口６６から排出された便槽６０の内容物を収容する回収袋または回収容器等が用意される。
また、非排出時における排出口６６からの内容物の漏れによって臭気が発生するのを防止するために、排出部材８４の底面または排出口６６の下方に消臭パッド８６を敷いておくのが好ましい。
【００６４】
周壁６２の外面には、便槽６０の内容物に加温するための電熱ヒータ８８が設けられている。電熱ヒータ８８は、便槽６０の内容物の温度を計測する図示しない温度計に接続され、便槽６０の内容物の温度がその内容物中の微生物の活動を活発にする温度になるようにトイレ制御部１４４によって制御される（図５参照）。微生物の活動に最適な温度は、微生物の種類によっても異なるが、本実施例においては、例えば、４０〜６０℃程度のものが好適に使用され、電熱ヒータ８８によってその温度が保たれる。
【００６５】
また、本発明のバイオトイレ１０においては、便槽６０の開口部近傍に、便槽６０の内部に向けて温風吹出口４２が配置されている。温風吹出口４２は、上述した温風乾燥装置３８に接続されており、温風乾燥装置３８からの温風を便槽６０の内容物に吹き付けて、微生物担持基材等の内容物を乾燥させるものである。このように、バイオトイレ１０では、温風乾燥装置３８が、使用者のための乾燥機能および便槽６０の内容物を乾燥させる機能の両方を兼ねるものとし、装置構造を簡単なものとしている。しかし、本発明はこれには限定されず、温風乾燥装置３８とは別に便槽６０の内容物の乾燥装置を備えていてもよい。
【００６６】
ここで、本発明において、バイオトイレ１０の便槽６０は、微生物の担持基材を含み、この担持基材によって微生物の汚物分解機能を高めることを可能にしている。すなわち、後述する水分吸収性能に優れた特定の担持基材を用いることによって、処理対象の汚物に水分が多く含まれている場合にも、微生物の活動を維持することができ、温水洗浄装置を使用することも可能である。なお、汚物分解用の微生物は、予め担持基材に担持させておいてもよいし、汚物に元から存在しているものを利用してもよい。
【００６７】
本発明のバイオトイレ１０において、微生物を担持する担持基材としては、椰子殻破砕物を含むものが好適に用いられる。椰子殻破砕物とは、ココヤシ、ナツメヤシ、アブラヤシ、サトウヤシ等の椰子類の実の殻を、細粒状、粒状、繊維状、塊状等に破砕したものである。このような椰子殻破砕物を使用した本発明の担持基材は、高い吸水性を有するとともに、水分保有率が飽和した場合にも、乾燥させることによって吸水性能が復元するという特徴を有するもので、水分調整剤として機能する。すなわち、このような担持基材は、その高い吸水性により便槽６０の中の水分を素早く吸収することができ、また、吸水可能な量が非常に大きいので、例えば、後述する膨軟チップでは、基材の７倍の水分を吸収することができるので、便槽６０に比較的多量の水が入れられても、微生物が死滅したり、その活動が衰弱することがない。また、担持基材の回収時には、ほぼ乾燥した粉粒体の状態で回収できるので、液体を多く含むものに比べて扱いが容易である。バイオトイレ１０で用いる担持基材は、上記の椰子殻破砕物に加えて、膨軟化処理材（膨軟チップ）や、木粉、活性炭、珪藻土、ゼオライト等を微生物の担持体として含んでいてもよい。膨軟チップとは、木質チップを水蒸気共存下で加圧圧縮処理して膨軟化することにより、吸水率を向上させたものである。上記膨軟チップは、例えば、鶴見曹達株式会社製プレスショット等により製造することができる。
【００６８】
バイオトイレ１０は、このように、担持基材として椰子殻破砕物を用いることにより、また、さらに好ましくは、この担持基材を乾燥させるための乾燥手段、すなわち上述した温風乾燥装置３８および温風吹出口４２を有することにより、従来実現できなかった温水洗浄装置３４の使用を可能にしている。また、これにより、担持基材の劣化が遅くなるので、担持基材の交換頻度を極めて低くすることができる。
【００６９】
本発明に係るバイオトイレでは、上記担持基材を便槽６０内に供することにより、便に含まれるなど自然に存在する微生物の汚物（有機物）分解能力を有効的に利用することができる。汚物分解に利用できる微生物としては、汚物の微生物分解菌として公知の菌が特に限定されることなく利用可能である。例えば、土壌菌、酢酸菌、乳酸菌、セルロース分解菌、酵母菌、光合成菌、硝酸菌、硝化細菌、窒素固定菌、糸状菌、細菌、水素細菌、酵母等の好気性菌、微好気性菌、通性嫌気性菌、嫌気性菌等の微生物が挙げられる。本発明では、自然由来の微生物だけでなく、上記担持基材にあらかじめ微生物を担持させて便槽６０に供する態様も好ましい。この場合の微生物は、納豆菌（枯草菌）が好ましい。納豆菌（枯草菌）は、水分過多下では活性が低いため、一般的な便槽などにおいて、その汚物分解能力を利用することは検討されない。これに対し本発明では、上記担持基材、特に椰子殻破砕物の共存により、活動に適した条件が形成されることにより、納豆菌の汚物分解能力を充分に発揮させることができる。上述した椰子殻破砕物に納豆菌を担持させたものを用いることにより、消臭効果などの格別な効果を得られることがわかった。
【００７０】
本発明のバイオトイレ１０は、上述したように微生物を利用し汚物を処理するトイレであるので、便槽６０内部は、微生物が活動するのに好適な環境（温度や湿度）を維持することが好ましい。また、便層６０内の担持基材に担持された微生物の汚物分解能を維持するために、担持基材に吸収された水分量も適切な量に維持されるのが好ましく、担持基材の水分吸収能を飽和させないようにし、逆に乾燥し過ぎて担持基材の吸収水分量が微生物の活動に必要な最低水分量より低下し過ぎないようにするのが好ましい。
従って、汚物が許容量を超えて便槽６０内に貯蔵されるのを防止し、また、上記の担時基材が大量の水分を吸収した状態を避け、逆に、吸収した水分量が少なすぎる状態（乾燥した状態）を避けるために、バイオトイレ１０の使用回数を制限し、また、上述した温風乾燥装置３８、電熱ヒータ８８の動作タイミングを制御するのが好ましい。
このため、本発明のバイオトイレ１０においては、例えば、便層６０の重量を測定するための重量センサ８９を備えるのが好ましい。
【００７１】
図示例では、重量センサ８９は、底６４の中心付近で掻出モータ７４の近傍に設けられている。また、重量センサ８９は、上述したようにトイレ制御部１４４に接続され（図５参照）、便層６０の重量変化を常時監視することができる。重量センサ８９としては、重量を測定するのに一般的に使用される重量計や歪ゲージ等を使用することができる。
また、トイレ制御装置１４４には、トイレユニット１０が好適な汚物の処理を行うために、全担持基材の最大水分吸収量および上記最低水分量に基づいて、便槽６０の重量がとり得る最大値および最小値が設定される。上記の最大値および最小値は、管理者（使用者）が図５に示された入力装置１４８を操作することで設定される。なお、便槽６０の重量とは、便層６０等の装置や、担持基材や、汚物等を含む重量である。
【００７２】
重量センサ８９によって測定された便層６０の重量が所定の最小値以下の場合には、上述したように、便層６０内の全ての担持基材の水分量が上記最低水分量より低下して担持基材が乾燥し過ぎた状態になるのを防止するために、トイレ制御装置１４４の制御によって、温風乾燥装置３８や電熱ヒータ８８が停止されて、便槽６０内部の環境が微生物の活動に好適な環境（温度や湿度）であるように維持される。
また、重量センサ８９によって測定された便層６０の重量が所定の最大値以上の場合には、便層６０内の全ての担持基材に吸収された水分量が最大水分吸収量を超えてしまい、担持基材に担持された微生物の活動能力を低下させ、あるいは、活動を停止させて染もう可能性があるばかりか、さらに、使用を続けると、便層６０から汚物や担持基材等があふれてしまう可能性があるために、バイオトイレ１０の使用が中止される必要がある。上記の場合、重量センサ８９が接続されたトイレ制御部１４４が、便槽６０内部の重量が所定の範囲を超えたことを感知し、強制施錠機構１２１を作動させて扉を強制的に施錠することもできる。
【００７３】
次に、本発明のトイレユニットの動作について説明する。
本発明のトイレユニット８は、図１（ａ）、（ｂ）に示されるように、上部本体１１０の最下部が下部本体１１４の底板１１５まで下げられ、ＬＥＤ標識１２６が格納された状態で、設置場所まで搬送される。搬送のために、搬送用の車両等に積込む際には、上述したようにフォークリフトやクレーン等を利用して積込み作業を行うことができる。
【００７４】
本発明のトイレユニット８は、上述したように、キャビネット１００の高さを変えることで、その体積を小さくすることができるために、屋根のない比較的小型のトラック等の荷台に載せて搬送することができる。
ここで、図１０は、本発明のトイレユニット８の使用法の一態様として、荷台を有する車両１６２の荷台と、使用者が上記の荷台へと昇る（または、荷台から降りる）ためのステップ１６４と、上記の荷台に使用可能な状態で搭載されたトイレユニット８とが図示されている。トイレユニット８は排泄物の処理に微生物を利用するバイオトイレを備える簡易式トイレであるために、設置の際に配管作業を行う必要がなく、したがって、例えば、期間が数日程度の短期間のイベントや工事現場等で使用される場合、図１０に示されるように上記のトラック等の搬送用車両に搭載されたトイレユニット８は、車載式簡易トイレとして利用されることもできる。上述の使用法にしたがえば、使用場所にて搬送用車両からトイレユニット８を降ろし、設置場所に設置し、また、回収時に搬送用車両に搭載する、という必要がなく、搬送および設置に係る手間を大幅に省くことができる。
【００７５】
ところで、トイレユニット８を車両１６２に搭載して搬送または使用する際に、トイレユニット８が、車両１６２の荷台から横転したり、荷台上でずれを起こしたりすることを防止しするストッパを備えるのは好ましい。
また、図１０に示されたタラップ１６４は、手摺を備えていないタラップであったが、安全のために手摺を備えることは好ましい。また、キャビネット１００の外部にも手摺１６６が設けてあり、使用者（管理者）がタラップ１６４や車両１６２の荷台から転落するのを防止する効果がある。
【００７６】
設置場所（使用場所）まで搬送されたトイレユニット８は、プラグ１５４を介して外部電源入力部１０７とＡＣ１００Ｖの電力供給源１７０とが接続されることで、稼動に必要な電力が供給される。制御箱１０６内の分電盤１０９には、メインブレーカ、または、昇降手段１０２、表示手段１０４、および、バイオトイレ１０の機能を維持する各種の装置の電源スイッチが備えられており、それらを操作することで、トイレユニット８の各種装置が稼動する。
なお、バイオトイレ１０の排泄物処理能力を維持するためには、微生物が活動するのに最適な環境（温度、湿度）を維持する必要があるために、トイレユニット８が外部電源に常時接続されていることが好ましい。
【００７７】
電源が供給されたトイレユニット８を使用可能な状態にするために、制御箱１０６内に備えられた、昇降制御用リモートコントローラ１３６を操作して、上部本体１１０を下部本体１１４に沿って上昇させる。また、同様に制御箱１０６内に備えられたＬＥＤ昇降用リモートコントローラ１３６を操作して、電動シリンダ１３０を伸ばすように動作させて、搬送時に格納されていたＬＥＤ標識１２６を上昇させる。その後、上部扉１１２と下部扉１１６とが連動して開閉を行えるように、上述した図示しない固定部材で、上部扉１１２と下部扉１１６とを固定する。また、トイレ制御部１４４に接続された使用回数カウンタ１１８とドアセンサ１２０を動作させればトイレユニット８は使用可能である。
【００７８】
さらに必要であれば、ＬＥＤ標識１２６に適当な文章を表示してもよい。上述したように、表示したい文章（複数の文章の組み合わせも含む）をあらかじめ表示制御部１４２に記憶させておいてもよいし、設置場所で表示制御部１４２に記憶させてもよい。当然ながら、使用途中に表示する文章を変更してもよい。表示制御部１４２に接続されたモニタ１４６および入力装置１４８を用いて文章の選択や、表示方法の変更（点灯または点滅）を行うことができる。さらに、必要があれば、表示制御部１４２を操作して回転灯１２８を作動させてもよい。
【００７９】
次に、バイオトイレ１０の作用を、図８および図１１を参照して説明する。図１１は、バイオトイレ１０の各部の動作タイミングの一例を示す図である。なお、本発明の簡易式トイレの動作タイミングはこれに限定されるものではない。
【００８０】
（１）先ず、使用者がバイオトイレ１０に近付くと、図示しないセンサがそれを検知し、便座蓋１４が自動的に開く。
（２）次に、使用者が便座１２に着座すると、脱臭装置４４が作動する。
使用者は、便座１２に着座して用便する。ここで、便座１２の開口部の下方には、搬送装置４６のベルト５０が設けられているため、便槽６０の中の汚物や後述する掻出装置（攪拌装置）７０が便座１２の開口部から見えることがなく、また、排泄物が便槽６０に落下した時に汚物が跳ね返って着座している人を汚すこともない。
（３）用便後には、使用者のレバー５４の操作により、ベルト５０が回転する。ベルト５０上の汚物はベルト５０によって搬送され、ベルト５０が主動軸４８ａの位置で反転する際に便槽６０の中に落下する。また、小便、温水洗浄装置３４からの洗浄水およびベルト洗浄ノズル５８からのベルト洗浄・消臭液は、ベルト５０の表面をその傾斜方向に伝って便槽６０の中に流下する。
ベルト５０の表面に残った汚物はスクレーパ５６によって掻き落とされて便槽６０の中に落下する。汚物が取り除かれたベルト５０は、ベルト洗浄ノズル５８からのベルト洗浄・消臭液で洗浄され、消臭されて、便座１２の開口部側に戻る。
【００８１】
（４）ベルト５０が回転されると、主動軸４８ａの回転をトリガに掻出装置（攪拌装置）７０の掻出用モータ７４が作動して、便槽６０内が攪拌される。掻出用モータ７４は予め設定された時間だけ回転して停止する。ここで、便槽６０の内容物の温度の低下を極力抑えるために、第１の羽根７８および第２の羽根８２による攪拌は必要最小限に抑えることが好ましい。
【００８２】
（５）次に、使用者による操作部４０からの操作により、温水洗浄装置３４が作動する。このように、バイオトイレ１０には、温水洗浄装置３４が備えられているので、使用者が清潔で気持ちよい排泄を行うことができるとともに、トイレットペーパーの消費を極力少なくすることができる。
（６）続いて、操作部４０からの操作により、温風乾燥装置３８が作動する。温風乾燥装置３８は、操作部４０からの指示によって便座１２の方向に温風を吹き出すとともに、温風吹出口４２からも温風を吹き出す。そして操作部４０から温風乾燥装置３８の停止が指示されるか、あるいは使用者が便座１２から離れると、温風乾燥装置３８からの便座１２方向への送風は停止される。一方、温風吹出口４２からの送風は継続される。
【００８３】
使用者がバイオトイレ１０を離れると、前述のセンサがそれを検知し、便座蓋１４が自動的に閉じる。脱臭装置４４、温風吹出口４２からの温風の吹き出しは、掻出用モータ７４の停止から設定された時間だけ遅延して停止する。なお、脱臭装置４４、温風吹出口４２からの温風の吹き出しの稼動時間は、それぞれ、タイマーにより適時選定することができる。
また、掻出用モータ７４の作動が停止した後、所定時間、例えば１時間が経過すると、掻出用モータ７４が自動的に作動し、微生物の活動に必要な酸素を便槽６０の内容物内に取り込ませるようにするのも好ましい。また、この場合、掻出用モータ７４の作動と同時に、温風乾燥装置３８（温風吹出口４２からの温風の吹き出し）、脱臭装置４４を作動させるのが好ましい。
【００８４】
なお、温風乾燥装置３８および脱臭装置４４の始動および停止のタイミングは、上記の例には限定されず、適宜設定することができる。例えば、上記の例では、脱臭装置４４は使用者の着座と同時に始動しているが、便座蓋１４が開くのに合わせて始動してもよい。脱臭装置４４は、少なくとも掻出用モータ７４の作動時、すなわち、便槽６０内の攪拌時で臭気が多く発生する時に作動し、それよりも長時間作動するようにするのが好ましい。また、便槽６０の担持基材等のための乾燥装置を温風乾燥装置３８とは別に設ける場合には、その乾燥装置を、温風乾燥装置３８の作動とは関係なく所定のタイミングで作動させてもよい。
【００８５】
ここで、トイレユニット８の使用回数制限による使用の中止、および、使用中止時のトイレユニット８の動作について説明する。
上述のように、トイレユニット８は、扉付近に設けられたドア開閉センサ１２０によって使用回数をカウントし、使用回数カウンタ１１８に使用回数または残り使用可能回数を表示することができる。所定の使用回数に到達すると上述した強制施錠機構１２１が作動して、扉（上部扉１１２および下部扉１１６）がロックされることで、トイレユニット８の使用が中止される。
次に、上述した掻出装置７０が作動し、所定の時間、便層６０内を攪拌する。所定の時間、攪拌作業が行われたトイレユニット８は、ドアロックが解除され再び使用可能な状態になる。
以上の動作は、トイレ制御部１４４によって制御され自動で行われる、バイオトイレ１０の処理能力を維持するための動作である。
【００８６】
また、上述したように、重量センサ８９によって測定された便層６０の重量が所定の最大値以上の場合には、便層６０の重量が所定の最大値以上の重量であるのを測定すると、便層６０内の全ての担持基材に吸収された水分量が最大水分吸収量を超えてしまい、担持基材に担持された微生物の活動能力を低下させ、あるいは、活動を停止させて染もう可能性があるばかりか、さらに、使用を続けると、便層６０から汚物や担持基材等があふれてしまう可能性があるために、バイオトイレ１０の使用が中止される必要がある。この場合も、上述の使用回数制限による使用中止時と同様に、扉（上部扉１１２および下部扉１１６）が強制施錠機構１２１によって施錠される。さらに、上述のバイオトイレ１０の処理能力を維持するための動作が行われるのも同様である。
【００８７】
なお、上述した所定の使用回数、つまり使用制限回数は、トイレ制御部１４４の操作で、あらかじめ設定することができる。例えば、１０〜９０回の間を１０回間隔で回数を選択する。使用制限回数は、状況により、管理者が適宜変更してよい。
使用頻度が極端に少ない場合は、トイレ制御部１４４によって、使用回数を減算させて、残り使用回数を回復させるようにしてもよい。具体的には、使用間隔が４時間以上あいたら使用可能回数を１０回加算する（使用回数を１０回減算する）等である。
また、上記の所定の時間、つまり便槽６０内が攪拌される攪拌時間も、同様にトイレ制御部１４４にあらかじめ設定され、状況に応じて適宜変更されてもよい。
【００８８】
ここで、ドア開閉カウンタ１２０やトイレ制御部１４４の誤作動等の理由により、使用者（管理者）がキャビネット１００に入室中にも関わらずに強制施錠機構１２１が作動した場合のために、中に閉じ込められた使用者がキャビネット１００内から強制施錠機構１２１を解除し開錠できるようにするのは好ましく、また、キャビネット１００外部にいる人（通報を受けた管理者）が外部から強制施錠機構１２１を解除できるようにするのも好ましい。本実施形態では、キャビネット内にドアロック解除スイッチ１６０が設けられている。また、外部から解除するために、同様に解除スイッチが設けられていてもよいし、トイレ制御部１４４が解除機能を有していてもよい。
また、停電等によりトイレユニット８への通電が停止した場合は、強制施錠機構１２１が解除されるようにしておくことが好ましい。
【００８９】
また、使用制限回数に到達したため、または、その他の何らかの理由で、強制施錠機構１２１が作動したことを管理者に自動的に知らせることができる通知手段を有しているのは好ましい。さらに、上記の手段を利用することで、管理者がトイレユニット８の残り使用回数等の状態を把握できるようにするのはより好ましく、これにより、使用者はトイレユニット８が使用中止の状態であることを管理者に連絡する必要がなく、管理者はトイレユニット８の状態を容易に把握することができる。
【００９０】
次に、便槽６０の中の担持基材を交換する際のバイオトイレ１０の作用について説明する。
まず、下部本体１１４の下部右側面パネル１１４ｂに設けられた基材排出口１５６が開かれ、キャビネット１００内に設置されたバイオトイレ１０の背面に設けられた排出口６６、扉６８、ハンドル６９が外部から操作できる状態になる。
便槽６０の担持基材を排出する場合には、排出部材８４の先端部に回収袋または回収容器等が用意され、排出口６６が開放された状態で、掻出用モータ７４を駆動して回転軸７２を連続的に回転させ、第１の羽根７８および第２の羽根８２を回転させる。第１の羽根７８が回転すると、便槽６０の中央部の内容物は第１の羽根７８によってその回転方向に押されながら徐々に外側へと掃き除けられる。また、便槽６０の外周側の内容物および第１の羽根７８によって外周側へ掃き除けられた内容物は、第２の羽根８２によってその回転方向に押されて、排出口６６の位置に来ると排出口６６から落下して排出される。このようにして、便槽６０の内部の担持基材等はすべて排出口６６から排出され、排出部材８４に誘導されて、用意された回収袋等に回収される。
【００９１】
本実施例においては、上述したように、担持基材として椰子殻破砕物を含むものが用いられているので、担持基材の回収時には、ほぼ乾燥した粉粒体の状態のものが排出される。そのため、回収袋等に回収することもでき、液体を多く含むものに比べて扱いが容易である。回収袋等に回収された不要な担持基材等は、適宜処分される。
なお、便槽６０からの担持基材の排出時にも、掻出用モータ７４の作動と同時に脱臭装置４４を作動させるのが好ましい。
【００９２】
空になった便槽６０は、必要に応じて洗浄された後、新しい担持機材が投入される。新しい担持基材は、扉６８を閉じた状態で便座１２の開口部から投入される。ここで、搬送装置４６のベルト５０は簡単に取り外しができる場合には、一旦取り外されて、新しい担持基材が便槽６０に投入され、その後再び搬送装置４６が取り付けられる。
以上により、便槽６０の担持基材の交換が完了する。
【００９３】
以上のように、バイオトイレ１０においては、便槽６０の担持基材を交換する際に、第１の羽根７８および第２の羽根８２によって、不要な担持基材等がすべて便槽６０から掻き出されるので、従来の簡易式トイレのように、便槽６０から不要な担持基材等を汲み出すといった、手間が掛かり、汚物であるために嫌われがちな作業をする必要がなく、短時間できわめて簡単に担持基材の交換を行うことができる。
【００９４】
なお、上記実施例においては、トイレットペーパーを使用しない場合について説明したが、トイレットペーパーを用いることももちろん可能である。トイレットペーパーとしては、再生紙等、繊維が分断されているものを用いるのが好ましい。
また、バイオトイレ１０を構成する各装置の動力源としては、家庭用電源や燃料電池等、各種の電力源を用いることができる。
【００９５】
なお、上記実施例では、掻出装置７０として、第１の羽根７８および第２の羽根８２の２枚の羽根を有する例について説明したが、本発明はこれには限定されず、掻出装置７０として、便槽６０の底面半径と略同一の底辺を有する羽根を１枚有するものであってもよい。この場合、排出口６６は、便槽６０の底６４の外周部から回転軸７２の近傍に至るように設ければよい。
【００９６】
上記では、微生物を利用したバイオトイレを備え、主にイベントや工事現場等の短期間の使用を目的とした容易な搬送を可能にするトイレユニットについて説明したが、本発明はこれには限定されず、本発明のトイレユニットは、微生物を利用しない、便槽に汚物を単に蓄積する従来型等の洋式または和式の簡易式トイレを備えるものでもよい。
また、本発明の簡易式トイレは、短期間の使用に限定されず、微生物を利用する公衆用の仮設トイレ等にも好適に利用できる。そのように、使用頻度が非常に高い場合等で便槽に入る水分量が多い場合にも、上述したように、特定の微生物担持基材を使用し、あるいはさらに乾燥手段とそれを制御する制御手段を備えることにより、微生物の汚物処理性能を維持することができる。
【００９７】
以上、本発明に係るトイレユニットについて詳細に説明したが、本発明は上記種々の実施例に限定されず、本発明の主旨を逸脱しない範囲において、種々の改良や変更をしてもよいのはもちろんである。
【図面の簡単な説明】
【００９８】
【図１】（ａ）、（ｂ）は、搬送時（格納時）のトイレユニット８の外観を示す。
【図２】設置時（使用時）のトイレユニット８の外観を示す。
【図３】上部本体１１０の上面近傍で切断しトイレユニット８を上方から見た模式図である。
【図４】トイレユニット８のトイレユニット８の電力系を示すブロック図である。
【図５】トイレユニット制御装置１３２を説明するブロック図である。
【図６】本発明の簡易式トイレの一実施例であるバイオトイレ１０を示す斜視図である。
【図７】長穴部１６ａの長手方向に切断した簡易式トイレの模式的断面図である。
【図８】搬送装置４６および供給タンク２２を示す上面図である。
【図９】便層６０の上面図である。
【図１０】車載されたトイレユニット８の斜視図である。
【図１１】簡易式トイレの各部の動作タイミングの一例を示す図である。
【符号の説明】
【００９９】
８  トイレユニット
１０  バイオトイレ
３８  温風乾燥装置
７０  掻出装置
８８  電熱ヒータ
８９  重量センサ
１００  キャビネット
１０２  昇降手段
１０４  表示手段
１０６  制御箱
１０７  外部電源入力部
１０８  パレット
１０９  分電盤
１１０  上部本体
１１０ａ  上部正面パネル
１１０ｂ  上部右側面パネル
１１０ｃ  上部左側面パネル
１１０ｄ  上部背面パネル
１１２  上部扉
１１４  下部本体
１１４ａ  下部正面パネル
１１４ｂ  下部右側面パネル
１１４ｃ  下部左側面パネル
１１４ｄ  下部背面パネル
１１５  底板
１１６  下部扉
１１７  扉開閉用取手
１１８  使用回数カウンタ
１２０  ドア開閉センサ
１２１  強制施錠機構
１２２  ソーラー換気扇
１２４ａ、１２４ｂ、１２４ｃ  電動シリンダ
１２６  ＬＥＤ標識
１２６ａ  表示面
１２８  回転灯
１３０  電動シリンダ
１３２  トイレユニット制御装置
１３４  昇降手段制御部
１３６  昇降制御用リモートコントローラ
１３８  ＬＥＤ標識昇降制御部
１４０  ＬＥＤ標識昇降用リモートコントローラ
１４２  表示制御部
１４４  トイレ制御部
１４６  モニタ
１４８  入力装置
１５０  フォークポケット
１５２  アイボルト
１５４  プラグ
１５６  基材排出口
１５８  トイレ室灯
１６０  ドアロック解除スイッチ
１６２  車両
１６４  タラップ
１６６  手摺
【図１】
2006094970.tif 000003
【図２】
2006094970.tif 000004
【図３】
2006094970.tif 000005
【図４】
2006094970.tif 000006
【図５】
2006094970.tif 000007
【図６】
2006094970.tif 000008
【図７】
2006094970.tif 000009
【図８】
2006094970.tif 000010
【図９】
2006094970.tif 000011
【図１０】
2006094970.tif 000012
【図１１】
2006094970.tif 000013